(57)【要約】【課題】棚受構造の強度を向上すると共に、貯蔵スペースを増大させる。【解決手段】梁受部材３０は、開口部を区分する支柱２０の内壁面に配設された棚柱２２に一端を取付け、他端を貯蔵室の内方に向けて延出させている。棚受梁２８は、一端部を梁受部材３０の載置面に載置し、他端部は棚受金２６を介して開口部に近接する側壁面に配設された棚柱で支持される。棚部材３２は、その前部を棚受梁２８に載置すると共に、後部を貯蔵室の後壁面に配設された棚柱に取付けた棚受金で支持することで設置される。【選択図】  図３
2004278999.tif 000002
【特許請求の範囲】
【請求項１】
断熱箱体（１０）の内部に画成した貯蔵室（１６）に設けた棚柱（２２）と、該棚柱（２２）に取付けた梁受部材（３０）に一端を支持されて、前記貯蔵室（１６）における開口部（１０ａ）の幅方向に延在する棚受梁（２８）と、該棚受梁（２８）に支持される貯蔵物載置用の棚部材（３２）とからなる貯蔵庫の棚受構造において、
前記梁受部材（３０）は、前記棚柱（２２）に片持ち支持されて貯蔵室（１６）内に所定長だけ延出すると共に、その上面に第１係合部（３０ｂ）が設けられ、
前記棚受梁（２８）は、その底面に前記梁受部材（３０）の第１係合部（３０ｂ）に係脱自在に係合する第２係止部（３４ａ）を備えている
ことを特徴とする貯蔵庫の棚受構造。
【発明の詳細な説明】
【０００１】
【発明の属する技術分野】
この発明は、貯蔵物が載置される棚部材の前部を棚受梁で支持する貯蔵庫の棚受構造に関するものである。
【０００２】
【従来の技術】
食品や飲料品等の物品を冷蔵，冷凍等して保存する貯蔵庫としては、一つの開口を複数の扉で閉成し、該扉の自由端部が当接する支柱を省くことで間口を広く設定した、所謂センターフリータイプの貯蔵庫が広く用いられている。例えば、図４および図５に示す貯蔵庫は、内箱１２と外箱１４とで画成される空間部分に断熱材を充填して断熱箱体１０が形成され、この断熱箱体１０の内部には、貯蔵物１７を収納するための貯蔵室１６が画成される。前記貯蔵室１６には、前方に開放する矩形状の開口部１０ａが開設され、該開口部１０ａは縦方向に延在する支柱２０により左右に区分されると共に、幅方向に延在する仕切板２１により上下に区分されている。そして、この開口部１０ａは、図示しないヒンジで回動自在に支持された扉１８により開閉可能に夫々閉成される。間口が広く設定された幅方向一方の開口部１０ａは、観音開きの一対の扉１８，１８で開閉され、夫々の扉１８の回動端側が支柱２０または断熱箱体１０の側壁前面にヒンジを介して支持されている。一方、この扉１８，１８の自由端部を受け止めるための支柱は省略されている。また、支柱２０を挟んで区分され、間口が狭く設定された幅方向他方の開口部１０ａは、断熱箱体１０の側壁前面にヒンジを介して支持された扉１８の自由端部を、支柱２０に当接することで閉成し得るようになっている。
【０００３】
前記貯蔵室１６内には、室内スペースを有効に利用するため、食材等の貯蔵物１７を載置する棚部材３２が必要に応じて設置される。幅方向に区分された間口が狭い開口部１０ａ側に設置される棚部材３２は、棚柱２２に取付けた棚受金２６で夫々支持されている。この棚柱２２は、前記断熱箱体１０の開口部１０ａに近接した貯蔵室１６の側壁面１２ａ、後壁面１２ｂおよび支柱２０の内壁面の夫々に縦方向に延在するよう配設され、上下方向に複数の係止孔２２ａが開設されている。すなわち、前記棚受金２６の係止爪２６ｃを前記係止孔２２ａに係合して位置決めした該棚受金２６の上面に、棚部材３２を載置するよう構成されている。そして、前記棚受金２６の上下の配設数および設置位置を調整することで、前記棚部材３２の高さおよび上下の間隔や設置数の増減を適宜調整することができる。
【０００４】
前記間口が広い開口部１０ａ側に設置される前記棚部材３２は、該開口部１０ａに扉１８の自由端部を受けるための支柱がないので、貯蔵室１６の開口部１０ａを広く利用することができ、大きな貯蔵物１７を貯蔵室１６内へ出し入れすることが容易にできるメリットがある。しかし、前記開口部１０ａの幅が広くなった分だけ棚柱２２，２２間の距離も大きくなり、これらの棚柱２２，２２によって前部を支持される棚部材３２の幅方向の寸法も大きくならざるを得ないことから、該棚部材３２に載置された貯蔵物１７の重量によって棚部材３２の前部が撓むおそれが生じる。そこで、該棚部材３２の前部を、断面コの字状に形成して強度を向上させた棚受梁２８で支持し（例えば、特許文献１参照）、後部は後壁面１２ｂに配設した棚柱２２の棚受金２６で支持するよう構成している（図５または図６参照）。前記棚受梁２８は、支柱２０側の一端部が梁受部材２９で支持され、他端部は側壁面１２ａに配設された棚柱２２の棚受金２６で支持されている。この梁受部材２９は、断面コの字状に形成され、その一端が支柱２０の内壁面に配設された棚柱２２に取付けた棚受金２６に支持されると共に、他端が貯蔵室１６の後壁面１２ｂに配設した棚柱２２に取付けた棚受金２６に支持され、貯蔵室１６内を前後方向に亘って延在している。また、図６に示すように、前記梁受部材２９には上方に開放する切欠２９ａが形成され、この切欠２９ａに棚受梁２８の一端部が上方から嵌合し、移動規制されている。なお、前記棚受梁２８の底部には、端面保護等のため底板３４が装着してある。また、別の棚受構造として、棚受梁の固定を固定具と棚受具とで行なう棚受構造もある（例えば、特許文献２参照）。
【０００５】
【特許文献１】
特開２００１−３４３１８８号公報
【特許文献２】
特開２００１−１１６４４８号公報
【０００６】
【発明が解決しようとする課題】
前記棚部材３２を支持する棚受梁２８や梁受部材２９は、該棚部材３２に載置した貯蔵物１７を保持し得る強度が必要である。すなわち、特許文献１に記載の棚受構造の前記棚受梁２８や梁受部材２９は、前述した通り断面形状がコの字状の部材を採用することで強度を向上させている。しかし、前記梁受部材２９に棚受梁２８を固定するための切欠２９ａを設けることで、強度の低下を招いてしまう問題が指摘される。また、前記支柱２０を挟んで幅方向に設置された棚部材３２，３２の間には、梁受部材２９が前後方向に亘って延在しているので、幅方向の貯蔵物１７の移動が困難となる。なお、前記梁受部材２９に設けた切欠２９ａによる強度低下の対策として、梁受部材２９を大きくすることが考えられるが、この場合には、貯蔵スペースが狭まると共に、幅方向の貯蔵物１７の移動が更に困難になる。また、特許文献２に開示されている棚受構造は、固定具と棚受具とを組合わせて棚受梁の固定および支持を行なう構成のために構造が複雑になり、使用者による棚部材の位置の調整が煩雑である欠点が指摘される。
【０００７】
【発明の目的】
この発明は、従来の技術に係る貯蔵庫の棚受構造に内在する前記問題に鑑み、これを好適に解決するべく提案されたものであって、貯蔵物を載置した棚部材を堅固に支持すると共に、貯蔵庫の貯蔵スペースに極力影響を与えない貯蔵庫の棚受構造を提供することを目的とする。
【０００８】
【課題を解決するための手段】
前記課題を克服し、所定の目的を達成するため、本発明に係る貯蔵庫の棚受構造は、
断熱箱体の内部に画成した貯蔵室に設けた棚柱と、該棚柱に取付けた梁受部材に一端を支持されて、前記貯蔵室における開口部の幅方向に延在する棚受梁と、該棚受梁に支持される貯蔵物載置用の棚部材とからなる貯蔵庫の棚受構造において、
前記梁受部材は、前記棚柱に片持ち支持されて貯蔵室内に所定長だけ延出すると共に、その上面に第１係合部が設けられ、
前記棚受梁は、その底面に前記梁受部材の第１係合部に係脱自在に係合する第２係止部を備えていることを特徴とする。
【０００９】
【発明の実施の形態】
次に、本発明に係る貯蔵庫の棚受構造につき、好適な実施例を挙げて、添付図面を参照して以下に説明する。なお、説明の便宜上、図４〜図６に示した貯蔵庫の構成要素と同一の要素については、同一の符号を使用して詳細な説明は省略する。また、実施例においては、貯蔵庫として開口を４つに区分した貯蔵庫を挙げて説明するが、この貯蔵庫に限らず冷蔵庫や冷凍庫等であって、棚部材を幅方向に延在する棚受梁で支持する構成であればよい。
【００１０】
実施例に係る貯蔵庫は、図１または図２に示すように、内箱１２と外箱１４の間にウレタン等の発泡断熱材を充填してなる本体としての断熱箱体１０の内部に、食品や飲料品等の貯蔵物１７を収容する貯蔵室１６が画成される。前記断熱箱体１０の前面には開口部１０ａが開設され、該開口部１０ａは仕切板２１で上下に分割され、更に上下二段に分割された貯蔵室１６の夫々の開口部１０ａを縦方向に延在する支柱２０により左右に異なる間口幅で区分している。前記開口部１０ａは、夫々断熱箱体１０の側壁前部および支柱２０にヒンジ（図示せず）を介して配設された扉１８により回動自在に閉成され、間口が広い開口部１０ａ側は、観音開き状に２枚の扉１８，１８で塞がれる。
【００１１】
そして、貯蔵室１６内には貯蔵物１７を載置するため、幅方向に複数（実施例では３枚）の棚部材３２が設置されると共に、上下方向に複数（実施例では４枚）の棚部材３２が棚受構造を介して設置されている。ここで、一枚の扉１８で閉成される開口部１０ａ（間口が狭い側）に設置される棚部材３２の支持構造は、従来と同一であるので説明は省略する。これに対し、二枚の扉１８，１８で閉成される開口部１０ａ（間口が広い側）に設置される棚部材３２の支持構造は、棚部材３２の前部を支持する棚受梁２８と、この棚受梁２８の一端部を支持する梁受部材３０と、前記棚受梁２８の他端部および棚部材３２の後部を支持する棚受金２６と、貯蔵室１６の壁面（断熱箱体１０の内箱１２の内壁面）に配設され、前記梁受部材３０および棚受金２６を取付ける係止孔２２ａが複数開設された棚柱２２とから基本的に構成されている。
【００１２】
実施例の前記棚部材３２は、矩形状に形成した枠材に格子状に線材を組合わせて形成されている。この棚部材３２は、載置した貯蔵物１７の重量を保持できる適切な強度や該貯蔵物１７の大きさ等の関係で多種のものが採用され、例えばトレー状のものであってもよい。そして棚部材３２の前部は、棚受梁２８の上面に載置されると共に、後部は棚柱２２に取付けた棚受金２６で支持され、取り外し可能になっている。すなわち前記棚部材３２は、貯蔵物１７の形状や大きさ等に合わせて容易に交換することができる。
【００１３】
前記棚柱２２は、前記断熱箱体１０における貯蔵室１６の側壁面１２ａおよび後壁面１２ｂと、支柱２０の内壁面とに縦方向に延在して所要数配設されている。この棚柱２２には、縦方向に複数の係止孔２２ａが開設されている。前記係止孔２２ａに着脱自在に係合する棚受金２６は、例えば帯状の金属板をプレス成形することにより、載置部２６ａと支え部２６ｂとからなる略Ｖ字形に形成される。前記載置部２６ａおよび支え部２６ｂの先端には、下方に折曲されて前記係止孔２２ａに引っ掛かる係止爪２６ｃが夫々形成されている。そして、前記係止爪２６ｃ，２６ｃを係止孔２２ａ，２２ａに係合することで棚受金２６が位置決めされ、このとき載置部２６ａが水平姿勢を取って棚部材３２や棚受梁２８を載置するように機能する。なお、この際に支え部２６ｂが、棚部材３２や棚受梁２８を載置した載置部２６ａに加わる荷重を受けるよう構成されている。前記棚受金２６の載置面２６ａには係合突起２６ｄが形成され、棚受梁２８を棚受金２６に載置した際に、該棚受梁２８の後述する係合孔２８ａと嵌合して該棚受梁２８の移動を規制するようになっている。
【００１４】
図３に示すように、前記棚部材３２の前部を支持する棚受梁２８は、ステンレス等の長板状の金属板を、その長辺側の両端部を折曲して断面コの字状に形成し、更に、コの字状の両端部を内方に折曲して曲部を形成した部材である。そして、前記棚受梁２８の配設に際し、断面コの字状の開放部分が下方に向けて設置され、この開放部分に対向する水平面が、棚部材３２を支持する載置面（上面）となる。前記棚受梁２８の一端における載置面には、前述した棚受金２６の係合突起２６ｄが嵌合可能な係合孔２８ａが開設されている。また、前記棚受梁２８の他端における載置面には、上方に延出する規制片２８ｂが設けられている。前記棚受梁２８の曲部には底板３４が配設され、該棚受梁２８の底面をなすと共に、該棚受梁２８における長辺の両端部の加工粗さから使用者および貯蔵物１７を保護している。前記底板３４は、樹脂等の押出し成形で長板状に形成され、長辺側両端部に、前記棚受梁２８の曲部と嵌合する断面Ｕ字状の嵌込部を夫々備えている。前記棚受梁２８の曲部に底板３４の嵌込部を差し込んで取付けることで、該底板３４が棚受梁２８の底面の開放部分を覆うようになっている。前記底板３４の前記規制片２８ｂの形成側と対応する一端部には、前記梁受部材３０に突設された後述する凸部（第１係止部）３０ｂの挿通を許容する寸法で穴部（第２係止部）３４ａが開設され、該穴部３４ａを凸部３０ｂに外挿することで、棚受梁２８を梁受部材３０に対して位置決めするよう構成されている。
【００１５】
前記棚受梁２８の支柱２０側の端部を支持する梁受部材３０は、前記貯蔵室１６の前後方向の幅より短尺に設定された鋳物等の成型品であって、前記棚受梁２８を支持する載置面（上面）と、該載置面と直交する面に設けられた上下方向に離間した２つの鉤状の係止片３０ａ，３０ａとが一体に形成されている（図３参照）。前記棚柱２２への梁受部材３０の取付けは、以下の手順で行なわれる。先ず、梁受部材３０の載置面を上方に向け、係止片３０ａ，３０ａを棚柱２２の係止孔２２ａ，２２ａに夫々差し込む。そして、前記梁受部材３０の係止片３０ａ，３０ａが設けられた端面に前記棚柱２２が当接したら、下方に向けて棚柱２２に沿って該梁受部材３０を移動する。これにより、前記梁受部材３０の係止片３０ａ，３０ａと該梁受部材３０の端面との間に棚柱２２が嵌合し、該梁受部材３０が載置面を水平にして片持ち支持されて貯蔵室１６の奥側に所要長だけ延出して着脱自在に配設される。また、前記梁受部材３０の載置面には、前述した底板３４に設けた穴部３４ａに係脱自在に係合可能な凸部３０ｂが外方に突設されている。そして、前記梁受部材３０の載置面に前記棚受梁２８を載置した際に、前記穴部３４ａに凸部３０ｂが挿入され、該棚受梁２８の取付け位置決めると共に、該棚受梁２８の移動を規制するようになっている。
【００１６】
実施例では、梁受部材３０の載置面に設けられる第１係止部を、その載置面から上方に突出した凸部３０ｂとし、棚受梁２８の底面に設けられる第２係止部を該凸部３０ｂの挿通を許容する穴部３４ａとしたが、これに限定されない。すなわち、前記第１係止部３０ｂを載置面に開設された穴部とし、この穴部に挿通可能な寸法で、前記棚受梁２８の底面から下方に突設させた凸部からなる第２係止部３４ａを、該穴部に挿入する構成も採用することができる。
【００１７】
【実施例の作用】
次に、実施例に係る貯蔵庫の作用について説明する。先ず、図３を参照して、本実施例に係る貯蔵庫の棚受構造の取付け手順について簡単に説明する。棚部材３２を設置したい任意の高さに合わせて、貯蔵室１６の側壁面１２ａおよび後壁面１２ｂに配設されている棚柱２２に棚受金２６を同一高さに取付ける。次いで、支柱２２の内壁面に配設された棚柱２２に梁受部材３０を取付ける。ここで、この後取付ける棚受梁２８が水平になるように前記梁受部材３０の高さ関係を考慮して取付ける必要がある。そして、予め底面に底板３４を装着した棚受梁２８を、一端の載置面に開設した係合孔２８ａを側壁面１２ａに配設した棚柱２２に取付けた棚受金２６の係合突起２６ｄに嵌合すると共に、該棚受金２６の載置部２６ａ上に棚受梁２８を載置する。しかる後に、前記棚受梁２８の他端側であって、底面に装着した底板３４に開設された穴部３４ａを梁受部材３０の凸部３０ｂに外挿する。前記棚受梁２８は、両端を係合突起２６ｄおよび凸部３０ｂにより移動規制され、堅固に固定される。最後に、棚部材３２の前部を棚受梁２８に載置し、後部を後壁面１２ｂに配設された棚柱２２に取付けた棚受金２６で支持することで該棚部材２２が設置される。このとき前記棚部材３２の幅方向の移動は、前記棚受梁２８の規制片２８ｂおよび内箱１２の内壁面により規制される。このように、実施例に係る貯蔵庫の棚受構造は組立てに工具等が必要なく、しかも容易に組立てることができる。すなわち、使用者が貯蔵物１７の大きさに合わせて、適宜に棚部材３２の上下方向の間隔の調整や棚部材３２の増減を容易に行ない得る。
【００１８】
また、従来の梁受部材２９のように、棚受梁２８の支持構造が切欠２９ａで係合する構造ではないので、棚受構造の強度の低下を起こす要因をなくすことができる。更に前記梁受部材３０は、ステンレス等の板材の折曲形成ではなく、鋳造または樹脂成形等により一体的に製造可能であるのでコストを低減することが可能である。
【００１９】
前記支柱２０に配設された棚柱２２のみに取付ける片持ち構造の梁受部材３０を用いることで、従来の貯蔵室１６の前後方向に亘って配設されていた梁受部材２９と比較して貯蔵室１６のスペースの有効利用を図ることができる。すなわち、前記梁受部材３０は、棚受梁２８を支持し得る最小限の寸法で貯蔵室１６の内方に延出しているので、該貯蔵室１６のスペースのロスも最小限に抑えることができる。従って、前記支柱２０を挟んだ幅方向の棚部材３２，３２間での貯蔵物１７の受け渡しや、貯蔵室１６の幅方向を大きく利用して長尺物の収納がより容易になる。
【００２０】
なお、実施例では棚受梁２８を断面コの字状として、その底面に別部材の底板３４を装着するよう構成したが、該棚受梁自体を断面ロの字状に形成して、その底面に第２係止部を設ける構成を採用し得る。また、実施例の棚受梁２８は、その一端部を梁受部材３０で支持する構成であるが、これに限定されず、両端部を該梁受部材３０，３０で支持する構成を採用することも可能である。更に、棚部材３２の前部を棚受梁２８で支持する構成に限定されず、該棚部材３２の後部または中間部を、幅方向に延在する棚受梁２８で支持する構成とすることもできる。
【００２１】
【発明の効果】
以上に説明した如く、本発明に係る貯蔵庫の棚受構造によれば、該棚受構造の強度不足の原因となっていた切欠を設けた梁受部材に代えて、棚受梁を載置して支持する片持ち構造の梁受部材を採用することで、必要な強度を維持すると共に、コストの低減を図ることができる。また、梁受部材の載置面に設けた第１係止部と棚受梁の底面に設けた第２係止部とが係合する構造とすることで、組立ての際の位置決めを容易にすると共に、梁受部材から棚受梁がずれることを防止し得る。
【図面の簡単な説明】
【図１】本発明の好適な実施例に係る貯蔵庫を示す側断面図である。
【図２】実施例に係る貯蔵庫を示す横断面図である。
【図３】実施例に係る貯蔵庫の棚受構造の分解状態および組立て状態を示す斜視図である。
【図４】従来の技術に係る貯蔵庫を示す側断面図である。
【図５】従来の技術に係る貯蔵庫を示す横断面図である。
【図６】従来の技術に係る貯蔵庫の棚受構造の分解状態および組立て状態を示す斜視図である。
【符号の説明】
１０  断熱箱体，１０ａ  開口部，１６  貯蔵室，２０  支柱，２２  棚柱
２６  棚受金，２８  棚受梁，３０  梁受部材，３０ｂ  凸部（第１係止部）
３２  棚部材，３４ａ  穴部（第２係止部）
【図１】
2004278999.tif 000003
【図２】
2004278999.tif 000004
【図３】
2004278999.tif 000005
【図４】
2004278999.tif 000006
【図５】
2004278999.tif 000007
【図６】
2004278999.tif 000008